(57)【要約】      （修正有）【課題】伸縮する紐状の部材を台の上で足に掛けて伸縮させ足腰を鍛える筋肉トレーニング器の滑車部分の構造を簡単にして、使用し易く更に製作コストを低減するトレーニング器を提供する。【解決手段】足を乗せる足置き部材の任意の箇所に伸縮性と柔軟性を有し、或る長さを有する、紐状または帯状又は管状又は其の他の形状の引き張り部材を取り付ける。引き張り部材の取り付け部から或る距離を有した箇所に、引き張り部材を宛がって引き伸ばす方向を変換する滑車が少なくとも一箇所以上形成される。滑車から先方の引き張り部材には足の先を掛ける手段を有する足掛け部が形成される。滑車の軸受部には滑車の軸線に交差する方向で接続し、其の方向において伸長し、少なくとも滑車の回転面より前方に突出した腕木が形成され、腕木の或る箇所が足置き部材と直接又は間接に接続し接続部を形成する。滑車及び腕木が接続部に軸を有して回転することができる。【選択図】図１
2010240358.tif 000002
【特許請求の範囲】
【請求項１】
上面に足を乗せる足置き部を有する足置き部材の任意の箇所に、伸縮性と柔軟性を有し、且つ或る長さを有する、紐状又は帯状又は管状又は其の他の形状の引き張り部材を取り付ける。そして、該引き張り部材の取り付け部から或る距離を有した箇所に、引き張り部材を宛がって引き伸ばす方向を変換する滑車が少なくとも一箇所以上形成されている。そして滑車から先方の引き張り部材には足の先を掛ける手段を有する足掛け部が形成されている。少なくとも以上の部材の構成で形成された筋肉トレーニング器の滑車において、滑車の少なくとも片側の軸受部には滑車の軸線に交差する方向で接続し、且つ其の方向において伸長し、少なくとも滑車の回転面より前方に突出した腕木が形成されており、該腕木の或る箇所が足置き部材と直接又は間接に接続し接続部を形成している。該接続部において、滑車及び腕木が接続部に軸を有して回転することができることを特徴とする筋肉トレーニング器。
【請求項２】
滑車の左右両側の軸受け部に腕木を接続し、両側の腕木を直接又は間接に繋いだことを特徴とする請求項１に記載の筋肉トレーニング器。
【請求項３】
接続部が滑車の左右側面の外側１ｃｍの箇所において軸受部の軸線と直交する線から内側に形成されており、更に平面上において接続部の軸線が滑車の軸受部の軸線と滑車の左右外側１ｃｍより内側で交差し、上下方向に関しては、側面上において滑車の中心を通る中心線と接続部の軸線が直交する箇所が滑車の回転面の外側１ｃｍより内側であることを特徴とする請求項１〜２のいずれかに記載の筋肉トレーニング器。
【請求項４】
滑車の軸線を挟んで腕木の二箇所を足置き部材と直接又は間接に接続したことを特徴とする請求項１〜３のいずれかに記載の筋肉トレーニング器。
【請求項５】
引き張り部材を足置き部材の内側又は裏側に配置し、足置き部材の上面又は側面に孔部又は隙間を形成して出口とし、其処から引き張り部材を表側に引き出し、更に出口又は出口付近に滑車を形成したことを特徴とする請求項１〜４のいずれかに記載の筋肉トレーニング器。
【請求項６】
伸縮性を有する引き張り部材と足掛け部との間に伸縮性は有さないが柔軟性を有し、且つ或る長さを有する、紐状又は帯状又は管状又は其の他の形状の引き張り部材を接続したことを特徴とする請求項１〜５のいずれかに記載の筋肉トレーニング器。
【請求項７】
足掛け部を環状に形成し、先端部を帯状にしたことを特徴とする請求項１〜６のいずれかに記載の筋肉トレーニング器。
【請求項８】
接続部に孔部又は凹部を形成し、該孔部又は凹部に引き張り部材を通して配置し、足置き部材から滑車に至る引き張り部材が直線の状態になることを特徴とする請求項１〜７のいずれかに記載の筋肉トレーニング器。
【請求項９】
腕木の伸長する方向に突出する凸部を形成し、足置き部材に凹部又は孔部を形成して該凹部又は孔部に凸部を嵌め合わせて接続し、平面上で接続部の軸線が軸受部の軸線に対し８０〜９０°の交差角度を有することを特徴とする請求項１〜８のいずれかに記載の筋肉トレーニング器。
【請求項１０】
腕木に凹部又は孔部を形成し、足置き部材に滑車に向かって突出する凸部を形成し、凹部又は孔部と凸部を嵌め合わせて接続し、平面上で接続部の軸線が軸受部の軸線に対し８０〜９０°の交差角度を有することを特徴とする請求項１〜８のいずれかに記載の筋肉トレーニング器。
【請求項１１】
腕木と足置き部材との間に接続部材を介在させ間接に接続し、接続部を形成したことを特徴とする請求項１〜８のいずれかに記載の筋肉トレーニング器。
【請求項１２】
伸縮性を有する引き張り部材をゴム材で形成したことを特徴とする請求項１〜１１のいずれかに記載の筋肉トレーニング器。
【発明の詳細な説明】
【技術分野】
【０００１】  本発明は足腰の筋肉を鍛えるための筋肉トレーニング器に関する。
【背景技術】
【０００２】  従来、足腰の筋肉を鍛えるための器具は色々提供されているが、其の一つに本発明の発明者が以前出願した特願２００６−９２２６０がある。この出願は内容としては、足を乗せる足置き部材の裏側に伸縮性を有する紐状の伸縮部材を配置し、該伸縮部材を足置き部材に形成した孔から表側に出して、其の先に足先を掛ける足掛け部を形成したものである。これを使用する際には足置き部材に片足を乗せ、他片足を足掛け部に差し込んで任意の方向に引き張り、足腰の筋肉を鍛えるものである。この出願において、足置き部材に形成した孔の縁が伸縮部材を引き張る際に引き張る方向を変える方高変換部として機能しているが、方向を変換する最、孔の縁に張力を有する伸縮部材が強く擦れるためにスムーズな操作ができなかったり、摩擦熱が発生し、連続して使用すると部材が保熱したりして部材の劣化を招くと云う不具合が生じていた。この問題を解決するために孔の部分に回転するローラー即ち滑車を取り付けることもアイディアとして提供されているが、孔の周囲に自在に引き張るためには複数の回転ローラーを取り付けなくてはならず、構造的にも複雑であり、コストも掛かるため実施し難いものであった。本発明においては既出願のアイディアよりも構造が簡単でコストの掛からない、且つ容易に実施し得る筋肉トレーニング器を提供するものである。
【発明が解決しようとする課題】
【０００３】  本発明においては、既出願のアイディアにおける方向変換部の回転ローラー部分に改善を加え、一つの回転ローラーで孔の周囲に亘ってスムーズに足掛け部を引き張れる筋肉トレーニング器を提供することを課題とする。
【課題を解決する為の手段】
【０００４】  上記課題を解決する為に、本発明は次ぎの如き筋肉トレーニング器を提供する。
１、上面に足を乗せる足置き部を有する足置き部材の任意の箇所に、伸縮性と柔軟性を有し、且つ或る長さを有する、紐状又は帯状又は管状又は其の他の形状の引き張り部材を取り付ける。そして、該引き張リ部材の取り付け部から或る距離を有した箇所に、引き張り部材を宛がって引き伸ばす方向を変換する滑車が少なくとも一箇所以上形成されている。そして滑車から先方の引き張り部材には足の先を掛ける手段を有する足掛け部が形成されている。少なくとも以上の部材の構成で形成された筋肉トレーニング器の滑車の部分において、滑車の軸受部には滑車の軸線に交差する方向で接続し、且つ其の方向において伸長し、少なくとも滑車の回転面より前方に突出した腕木が形成されており、該腕木の或る箇所が足置き部材と直接又は間接に接続し接続部を形成している。該接続部において、滑車及び腕木が接続部に軸を有して回転することができることを特徴とする筋肉トレーニング器。
２、滑車の左右両側の軸受け部に腕木を接続し、両側の腕木を直接又は間接に繋いだことを特徴とする上記第１項に記載の筋肉トレーニング器。
３、接続部が滑車の左右側面の外側１ｃｍの箇所において軸受部の軸線と直交する線から内側に形成されており、更に平面上において接続部の軸線が滑車の軸受部の軸線と滑車の左右外側１ｃｍより内側で交差し、上下方向に関しては、側面上において滑車の中心を通る中心線と接続部の軸線が直交する箇所が滑車の回転面の外側１ｃｍより内側であることを特徴とする上記第１〜２項のいずれかに記載の筋肉トレーニング器。
４、滑車の軸線を挟んで腕木の二箇所を足置き部材と直接又は間接に接続したことを特徴とする上記第１〜３項のいずれかに記載の筋肉トレーニング器。
５、引き張り部材を足置き部材の内側又は裏側に配置し、足置き部材の上面又は側面に孔部又は隙間を形成して出口とし、其処から引き張リ部材を表側に引き出し、更に出口又は出口付近に滑車を形成したことを特徴とする上記第１〜４項のいずれかに記載の筋肉トレーニング器。
６、伸縮性を有する引き張り部材と足掛け部との間に伸縮性は有さないが柔軟性を有し、且つ或る長さを有する、紐状又は帯状又は管状又は其の他の形状の引き張り部材を接続したことを特徴とする上記第１〜５項のいずれかに記載の筋肉トレーニング器。
７、足掛け部を環状に形成したことを特徴とする上記第１〜５項のいずれかに記載の筋肉トレーニング器。
８、接続部に孔部又は凹部を形成し、該孔部又は凹部に引き張り部材を通して配置し、足置き部材から滑車に至る引き張り部材が直線の状態になることを特徴とする上記第１〜７項のいずれかに記載の筋肉トレーニング器。
９、腕木の伸長する方向に突出する凸部を形成し、足置き部材に凹部又は孔部を形成して該凹部又は孔部に突起部を嵌め合わせて接続し、平面上で接続部の軸線が軸受部の軸線に対し８０〜９０°の交差角度を有することを特徴とする上記第１〜８項のいずれかに記載の筋肉トレーニング器。
１０、腕木に凹部又は孔部を形成し、足置き部材に滑車側に突出する凸部を形成し、凹部又は孔部と凸部を嵌め合わせて接続し、平面上で接続部の軸線が軸受部の軸線に対し８０〜９０°の交差角度を有することを特徴とする上記第１〜８項のいずれかに記載の筋肉トレーニング器。
１１、腕木と足置き部材との間に接続部材を介在させ間接に接続し、接続部を形成したことを特徴とする上記第１〜８項のいずれかに記載の筋肉トレーニング器。
１２、伸縮性を有する引き張り部材をゴム材で形成したことを特徴とする上記第１〜１１項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものでは無い。
【０００６】  図１は本発明の一態様に係る筋肉トレーニング器の全体の構造を示す平面図（ａ）と側面図（ｂ）と一部分を拡大した側面図（ｃ）と（ｄ）である。図１（ａ）に示す筋肉トレーニング器は上面に足を乗せる足置き部２を有し、且つ其の他の構成部材を取り付ける台座となる足置き部材１の上面に伸縮部材取り付け部１０を形成し、其処に或る長さを有する一本の紐状の伸縮性と柔軟性を有する引き張リ部材３の片側が取り付けられており、引き張り部材３のもう一方には足の先を掛ける手段を有する足掛け部４が形成されている。図１において、足掛け部４は環状で且つ帯状の部材で形成されている。更に足置き部材１には引き張り部材３の引き張る方向を変換させるための滑車５が形成されており、滑車５には引き張り部材３が掛けられた形態となっている。図１（ｃ）と（ｄ）で示す様に、滑車５の外側には其の内側の軸受部６に接続され、軸受部の軸線１８と交差する方向で伸長し、或る距離を有した箇所で内側に曲げられた腕木７が形成されている。図１では腕木７の先端部に凸部１１が形成されており、足置き部材１から立ち上げた部分に形成された孔部１２に嵌め合わされて取り付けられ、接続部１９を形成している。この構造により、腕木７はこの接続部１９を中心として軸を有して回転することができ、滑車５も自体の軸回転では無く、腕木７の回転に伴い同じ縦方向に回転することができる。図１の構造では腕木７及び滑車５は足置き部２の面に対し上下方向、即ち縦方向の回転をする構造となっている。実施上も縦方向の回転にすることが好ましい。この回転により滑車５は引き張り部材３の引き張る方向に対し自在に向きを変えることができるのである。又、本態様に係る特許請求項１には腕木に関して「少なくとも滑車の回転面より前方に突出した腕木」と記されているが、この点に関しては図３を用いて説明するものとする。
【０００７】  これを使用するには、足置き部材１の上面に形成された足置き部２に片足を乗せ、もう一方の足の先を足掛け部４に差し入れて足先を掛け、任意の方向に動かし引き張り部材３を引き伸ばす。引き伸ばされた引き張リ部材３は其の伸縮性により張力を発生させ、この張力により筋肉に刺激を与え筋肉のトレーニングを行うことができるのである。従来技術及び本発明において、滑車５は引き張り部材３の引き張る方向を変換する際に、方向を変換する箇所の摩擦を減じるために用いられているが、この滑車５の使用に関し、従来の方法を図２の平面図で説明する。
【０００８】  図２に示す滑車５は足置き部材１に取り付けられ、且つ引き張り部材３が掛けられた滑車（親滑車８と呼ぶ）の上側に２本の滑車（子滑車９と呼ぶ）を重ねて交差させ、合わせて三本の滑車を形成したものである。従来方法では、親滑車８に掛けた引き張り部材３を左右に引き張った場合、横方向の張力を親滑車８自体では受けることができず、左右にずれる為、左右方向において張力を受けるために別の滑車、即ち子滑車９を形成する必要があった。これに対して本発明の方法では滑車５と腕木７が腕木７と足置き部材１との接続部分において回転することができるので、図１（ｃ）と（ｄ）では、左右方向に引き張り部材３を引き張った際、横方向への動きに対応して腕木７が縦に回転し、この回転に応じて滑車５の軸線１８も縦方向に回転することができ、スムーズに張力を受けることができることとなるのである。この様に本発明は従来の技術では三つの滑車を必要とした方向変換を一つの滑車で実施できる様にしたものである。
【０００９】  次ぎに各部分の詳細に就いて説明する。図１において、足置き部材１は少なくとも、足を乗せる足置き部２を形成し引き張り部材３及び滑車５を取り付け、配置する為の台座となるものである。図１においては或る高さを有する板状の部材で形成された形態となっているが、或る広さの上面、即ち足置き部２が形成される広さを有していれば、形状は任意である。足置き部材１は孔を有していても良い。実施上、寸法は縦が３０ｃｍ以上、横が２０ｃｍ以上、高さは１０ｃｍ以内程度が好ましい。材質は木材又はプラスチック又は軽金属などが好ましい。複数の材質部材を複合させたものでも良い。又、脚を形成しても良い。脚を取り付けた場合、脚も足置き部材１の一部となる。
【００１０】  次ぎに足置き部２であるが、足置き部材１の上面に足を乗せ、本筋肉トレーニング器を使用できる広さを有する箇所は足置き部２と見なすことができる。広さ及び形状は任意である。図１では足置き部材１の上面中央に引き張り部材３が配置され、それを挟んで左右に足置き部２が形成された形態となっている。足置き部２は一箇所でも良いし、図１に示す様に複数箇所であっても良い。実施上、一箇所の足置き部２は縦横１０ｃｍ以上の広さを有していることが好ましい。１０ｃｍとは足先の幅のおおよその寸法であり、立ち乗って運動するには少なくともこれ以上の広さを有していることが必要となる。材質も任意であるが、足置き部材１と同じでも良いし其の他の部材でも良い。実施上、木材又はプラスチック又は軽金属などが選択できる。表面は平坦であることが好ましく、表面に滑り止めのゴム材等を貼っても良い。又、表面に細かい凹凸や足の裏を押す突起を部分的に形成しても良い。足の裏を押す突起を形成する際、足置き部材１の端部の縁に沿って突起を伸長させて形成すると、踵を床につけた状態でふくらはぎを伸ばす運動ができるので好ましい。この場合、高さは１０ｃｍ位内、伸長する長さは２０ｃｍ程度が好ましい。
【００１１】  次ぎに引き張り部材３に就いて説明すれば、引き張り部材３は本筋肉トレーニング器の足掛け部４を引き動かした際、張力を生み出す部材であり、或る長さを有し、伸縮性と柔軟性を有する、少なくとも一本の紐状又は帯状又は管状又は其の他の形状の部材で形成されている。図１においては、引き張り部材３は足置き部材１の上面に形成された引き張り部材取り付け部１０に其の端部が取り付けられ、足置き部材１に接続された滑車５に掛けられた形態となっている。図１において引き張り部材３は直接に引き張り部材取り付け部１０に取り付けられているが、実施上は他の接続部材、例えば紐状部材又は棒状部材又はリングなどを介して間接に取り付けても良い。接続部材の形状及び材質は任意である。寸法に関しては実施上経験的に決定されて良い。又、引き張り部材３の太さ及び長さに関しても任意である。図１において、引き張り部材３は或る長さを有する紐状の形態で示されているが、実施上はチューブ状（管状）のゴム材などが好ましい。ゴム材を使用する場合、ゴム材の伸び率は伸びていない時の長さを１とすると、伸びた際に２以上になることが好ましい。又、実施上、引き張り部材３の太さは１０ｍｍ以内で長さは３０ｃｍ以上であることが好ましい。又、引き張り部材取り付け部１０を複数にして位置を変えて取り付けられる様にしても良い。この様にすると引き張り部材３の張力を変化させることができる。
【００１２】  次ぎに滑車５に就いて更に説明する。図（ｃ）と（ｄ）は引き張り部材３と滑車５と腕木７と足置き部材１の取り合いを部分的に拡大して示したものである。図（ｃ）は図（ｂ）の滑車５の部分を拡大した図であり、図（ｄ）は図（ｃ）の使用時の変化図である。本発明で云う滑車５は内側に軸受部６を有し、其の外側に回転部分即ち回転面２１を有する構造となっている。腕木７を内側の軸受部６に接続する場合、次の様な接続の方法が挙げられる。一つには軸受部６の内側に腕木７を軸部材として嵌め込む方法。又は、滑車５が転がり軸受を使用している場合には軸受の内輪に腕木７を接合する方法である。転がり軸受の場合、内輪に腕木７を固定しても滑車は回転することができるからである。いずれにしても腕木７は滑車５の内側に在る軸受部６と何らかの方法で接続又は接合し、更に軸受部の軸線１８に交差する方向で伸長していることが要件である。図（ｄ）では交差角度が９０°になっているが角度は任意である。又、交差する方向である為、伸長する方向は軸受部の軸線１８から離れる方向となる。「交差する方向で」とは軸受部の軸線１８に対して角度を有することであり、「交差する方向に」とは異なり軸受部の軸線１８に向かうことでは無い。又、腕木７は軸受部６から或る距離を有した箇所で内側に曲げられて伸長している。この内側と云うのは簡単に云えば曲がった部分からは滑車の軸受部の軸線１８に平行して滑車の他片側方向に伸長することであるが、色々な形態が有るので数種について図３で説明する。腕木は湾曲又は屈曲していても良い。更に滑車５の働きに就いて説明すれば、図１（ｃ）では引き張り部材３が滑車５に縦方向に掛かっており、図（ｄ）では横方向に掛かっている。本図（ｃ）から（ｄ）への変化は回転した形態の変化を示すものである。この構造により、図に示す如く、引き張り部材３の引く方向の変化に伴い、滑車５の向きを縦から横へ、或いは横から縦へと変化させることができ、それにより引き張り部材３の引く方向を縦から横へ、或いは横から縦へと変化させ滑車５から外れること無く引き張る方向を変換できることとなるのである。又、図１において腕木７は滑車５の軸受部６の左右両側に接続されているが、硬質の強度を有する部材で形成すれば片側でも実施可能であるので片側でも構わない。又、後記するが図面上では右側に一箇所、接続部を形成しているが、滑車５の軸線１８を挟んで左側にも一箇所形成し、合わせて二箇所に形成することもできる。滑車５及び腕木７の形状及び寸法は任意である。実施上、滑車５の寸法は直径３０ｍｍ以内、幅も３０ｍｍ以内程度が好ましい。腕木７も滑車５よりも３０〜５０ｍｍ程度大きいもので良いが滑車５の大きさによらず１００ｍｍ以内が好ましい。幅も滑車５と同一以下で良い。厚みは１０ｍｍ以下で良い。又、実施上、滑車５の回転部分には転がり軸受けとしてボールベアリングを使用しても良いし、コロを使用しても良い。又、軸受部６の内側に摩擦係数の小さなフッ素樹脂の薄板を筒状にして嵌めても良い。又、外側の回転面２１もフッ素樹脂等の樹脂材で形成しても良い。勿論、プラスチック又は硬質ゴム又は金属であっても良い。又、図（ｄ）で示す様に、外側の回転部分の中央部を��ませて両側を高くすると良い。この様にすると引き張り部材３が外れ難くなり、引いた際に滑車の回転を更にスムーズにすることができる。腕木７の材質は実施上、木材又はプラスチック又は金属などが選択できる。又、腕木７の凸部１１と足置き部材１の孔部１２の接続部分には同様に摩擦係数の小さなフッ素樹脂の板を筒状にしてスリーブとして取り付けると回転する際の摩擦を軽減できるので好ましい。凸部１１と孔部１２を嵌め合わせた場合には、其の間に前記のスリーブを取り付けても、腕木７を足置き部材１に直接に取り付けたものである。間接に取り付ける例に就いては後起する。又、図１以外の腕木７と足置き部材１の接続方法に就いても後記する。又、滑車５は足置き部材１に複数個形成しても良い。引き張り部材３が長くなると足置き部材１において複数箇所で方向を変換する必要性が生じるからである。その際、従来の形態の滑車と組み合わせて使用しても良い。
【００１３】  次ぎに足掛け部４に就いて説明する。本発明では引き張り部材３の先方に足の先を掛ける手段を有する足掛け部４を形成することが要件となっている。図１では該足掛け部４は環状で且つ或る幅を有する帯状の部材で形成されている。図１では足掛け部４を環状で且つ帯状に形成することで、足の先を掛ける手段としている。足掛け部４の形状は図１以外の形状でも多種実施可能であり、他には紐状の環や袋状のもの又は筒状のもの又は履物状などのものが選択できる。本図態様の実施に関しては、環の大きさは差し渡しが、即ち直径が少なくとも１０ｃｍ以上で、先端部に少なくとも３ｃｍ以上の幅の面を有していることが好ましい。又、材質は柔軟性を有するものが好ましい。又、足掛け部４は引き張り部材３と同一部材であっても良いし、一体化していても良い。更に足掛け部４は引き張り部材３から取り外せる構造でも良い。又、足掛け部４は引き張り部材３のどこに取り付けても構わない。取り付け箇所を変えることもできる。但し滑車５から先方であることが要件である。ここで云う先方とは引き張り部材取り付け部１０とは反対側の先端方向を云う。
【００１４】  図３は図１の態様で記された、特許請求項１に記載の「少なくとも滑車の回転面より前方に突出した腕木」に関して説明するもので或る。図面は平面図（ａ）と（ｂ）と（ｃ）と（ｄ）である。図（ａ）は腕木７が滑車５の軸受部６の片側に接続され、軸受部の軸線１８と交差する方向で滑車の回転面２１より前方に突出しており、或る距離を有した所で内側に曲がり滑車５の中央を通る中央線２７まで伸長した図となっている。上述の「少なくとも滑車の回転面より前方に突出した」と云うのは図（ａ）で示す如く、腕木７が滑車５回転面２１よりも前方に突出した形態を云う。突出の寸法に就いては前述しているが、実施上は前述の如く１００ｍｍ以内が好ましい。図（ａ）では説明のために片側だけを記載しているが、実施上は両側に形成し中央で接続することが好ましい。図（ａ）以外の態様を別図で説明する。図（ｂ）は腕木７を滑車から離した方向に伸長させた形態である。図（ｃ）は腕木７を湾曲させて伸長させた形態である。図（ｄ）は腕木７を、面を有する板状の部材で形成したものである。
【００１５】  図４は本発明に一態様に係る筋肉トレーニング器の構造の一部分を示す平面図（ａ）と（ｂ）である。図４（ａ）は滑車５の左右の軸受け部６に腕木７を接続し、それを滑車５の先方に伸長させて繋ぎ合わせ、滑車５との間で環状の形態を形成した図である。図（ａ）では腕木７の先端部に突部１１が形成されており、この凸部１１が足置き部材１に形成された孔部１２に嵌め合わされた形態と成っている。図（ｂ）は滑車５の左右両側から伸長した腕木７が其々に先端部に凸部１１を有しており、この二つの凸部１１が合わされて孔部１２に嵌め合わされた形態と成っている。図（ａ）の形態は両側の腕木を直接に繋いだものであり、図（ｂ）の形態は間接に繋いだものである。
【００１６】  図５は本発明の一態様に係る筋肉トレーニング器の構造の一部分を示す平面図（ａ）と（ｂ）である。図５（ａ）に示す筋肉トレーニング器は滑車５の側面の左右いずれかの端部から滑車の軸受部の軸線１８上において１ｃｍ外側に隔たった箇所、ここを交点２４とし、ここを通り軸受部の軸戦１８と直角に交わり、即ち直交して伸びる線（境界線１４）を設定し、其の内側に接続部１９が形成されていることを示すものである。更に接続部１９の回転軸の軸線２３が交点２４の内側で軸受部の軸線１８と平面上で交差することを示す図である。ここで云う平面上とは平面図の上で表した場合と云う意味である。図（ｂ）は側面上において滑車５の中心を通る中心線２６と接続部の軸線２３が直交する交点２４が滑車５の回転面２１の外側１ｃｍより内側の箇所であることを示す図である。ここで云う側面上とは側面図上で表した場合と云う意味である。この様に接続部１９及び接続部の軸線２３を滑車の中央に近づけることで腕木７の回転アークを小さくすることができ、滑車５の移動を小さくできるのである。実施上、接続部の軸線２３の向きおよび接続部１９の形成位置は経験的に決定されて良い。
【００１７】  図６は本発明の一態様に係る筋肉トレーニング器の構造の一部分を示す平面図（ａ）と側面図（ｂ）である。図６に示す筋肉トレーニング器は滑車５の軸受部の軸線１８を中央にして腕木７の二箇所を足置き部材１に接続した図である。二箇所で接続することにより引き張り部材を引き張った際に滑車５及び腕木７の動きを安定させることができ、接続部１９における不必要な動き及び回転のブレを防ぐことができる。
【００１８】  図７は本発明の一態様に係る筋肉トレーニング器の形態の一部分を示す平面図である。図７に示す筋肉トレーニング器は足置き部材１に形成された伸縮性を有する引き張り部材３と足掛け部４との間に柔軟性と或る長さを有するが、伸縮性を有さない引き張り部材１３を接続した図である。図７では一本の直線状の紐の中間部に繋ぎ部２０を有して接続されている。この様にすると使用中に伸縮性を有する引き張り部材に切れたような場合、例えば引き張り部材３をゴム材で形成していたとすると、切れた反動が跳ね返りとして足に当たってしまうと云った不具合が生じる怖れがあるので、足掛け部４に近い部分には伸縮性を有さない引き張り部材１３を配置するものである。又、次ぎの段落（００１９）で説明するように足置き部材の裏側に引き張り部材３を配置すると更に安全が確保できるのである。接続方法は任意であり又材質を変化させることで伸縮性の有る部分そして無い部分を形成しても良い。又、伸縮性を有さないと云う程度に就いて説明すると、これは通常使用している植物繊維で編んだ紐又は化学繊維で編んだ紐又は皮で編んだ紐などの程度である。
【００１９】    図８は本発明の一態様に係る筋肉トレーニング器の全体の構造を示す平面図（ａ）と側面図（ｂ）と裏側を示す平面図（ｃ）である。図８に示す筋肉トレーニング器は足置き部材１の裏側に脚１５を形成し、更に裏側の引き張り部材取り付け部１０に引き張り部材３を取り付け裏面上に配置し、足置き部材１に形成した孔部１２から表側に引き出し、孔部１２の内側に滑車５と腕木７を取り付け、其の先に足掛け部４を形成した図である。この様にすると足置き部材１の上面の足置き部２を広く使用することができ使い易くすることができる。段落（００１２）で述べた様に、図８（ｃ）では足置き部材１の裏側に更なる滑車５を形成している。この様にすると引き張り部材３を裏面により長く配置することができる。又、段落（００１８）で説明したように伸縮性を有さない引き張り部材を接続すると、伸縮性を有する引き張り部材３が切れた場合、表側には伸縮性を有さない引き張り部材が出ているので、足への跳ね返りを防ぐことができる。本図において滑車５と腕木７は孔部１２の内側に取り付けられているが、孔部１２の傍らに取り付けても良い。孔部１２の縁に当たらない箇所が好ましいが、取り付け位置は経験的に決定されて良い．図８では足置き部材１の裏側で説明したが、足置き部材を箱状に形成した様な場合は足置き部材１の内側と云うことができる。又、引き張り部材取り付け部１０は裏側で無くとも、足置き部材１の側面外側でも良い。取り付け位置は任意である。
【００２０】  段落（００１９）の態様における孔部１２以外の実施態様を図９の斜視図（ａ）と（ｂ）と（ｃ）で示す。図９（ａ）は足置き部材の上面を切り欠いて隙間１６を形成したものである。ここに腕木を取り付けることができる。滑車５は隙間１６の内側でも、隙間１６の周囲でも使用できれば構わない。図９（ｂ）と（ｃ）は足置き部材１の側面に孔部１２又は隙間１６を形成した図である。この様に形成しても同様である。図６では滑車と腕木の記載は省略しているが、以上の形態でも実施可能である。
【００２１】  図１０は本発明の一態様に係る筋肉トレーニング器の構造の一部分を示す正面図（ａ）と（ｃ）と側面図（ｂ）である。図１０に示す筋肉トレーニング器は足置き部材１と引き張り部材３と滑車５と腕木７と接続部１９の構造を示すものである。図１０では腕木７と足置き部材１との接続部１９は腕木７に孔部１２を形成し、そこにパイプ状の部材２８を取り付け、それを足置き部材１に形成した孔部１２に嵌めこんで形成されている。この構造により接続部には孔部１２が形成される。足置き部材１に形成した孔部１２がパイプ状の部材２８の外側を支える軸受けと成って腕木７を回転させることができるのである。この様にすると図（ｂ）で示す様に足置き部材１側から引き張られた引き張り部材３はこの孔部１２の中を通り、曲がること無く、直線の状態で滑車５にかけられた形態となる。この状態で腕木７が回転すると、動かない接続部の軸線上に引き張り部材３が位置することができるので、腕木７の回転により引き張り部材３が振れることが抑えられる。これにより引き張り部材３の配置スペースの幅を狭くすることができる。又上記において、足置き部材１側から引き張られたと記しているが、足置き部材側と云うのは引き張り部材取り付け部からでも良いし、足置き部材１に形成された別の滑車からでも良いし、又、他の取り付け方法で取り付けられた箇所からでも良い。又、図１０で示すパイプ状の部材２８は腕木７と一体化しているので腕木７自体と見なすことができる。図（ｃ）は足置き部材１に形成した孔部１２の一部を開いて凹部２２を形成した図である。この凹部２２の中にパイプ状の部材２８の一部を開いて凹状にして嵌めこみ回転させても同じ効果が得られる。この構造によるスペースの確保は、この筋肉トレーニング器をコンパクトに製作する際に極めて有効な手段である。
【００２２】  図１１は本発明の一態様に係る筋肉トレーニング器の構造の一部分を示す平面図（ａ）と（ｂ）と（ｃ）である。図１１は本筋肉トレーニング器の腕木７と足置き部材１との接続に関し、前記で説明した以外の方法を示すものである。図１１（ａ）は腕木７の先端部に腕木７の伸長する方向で前方に突出する凸部１１を形成して足置き部材１に形成した凹部２２に嵌め込んだ形態を示すものである。図１１では接続部の軸線２３が滑車５の軸受部の軸線１８と直交している形態で示されているが、この交差角度２５を本態様では８０〜９０°と規定するものである。図１で説明した形態は図１１（ａ）の凹部２２が孔部１２となっている。図１１（ｂ）は腕木７の先端部に孔部１２を形成し、足置き部材１の立ち上がり部に滑車５の軸線１８と概ね直交する方向で滑車５に向かって突出した凸部１１を形成して嵌め合わせた形態を示す図である。この場合の交差角度２５も８０〜９０°と規定するものである。図１１（ｃ）は腕木７の先端部に凹部２２を形成し、足置き部材１に形成した前述と同様の凸部１１を嵌め合わせた形態を示す図である。この場合の交差角度２５も同様である。この様に交差角度２５を９０°に近づけるほど滑車５の位置ズレ及び回転ブレを小さくすることができる。
【００２３】  図１２は本発明の一態様に係る筋肉トレーニング器の構造の一部分を示す平面図（ａ）と（ｂ）である。図１２に示す筋肉トレーニング器は腕木７と足置き部材１とを接続する際にその間に他の部材即ち接続部材１７を介して接続する構造を示すものである。この接続部材１７は腕木７と足置き部材１とが嵌合しておらず、二つの間に距離を有する場合に接続する部材である。図１２（ａ）は滑車５に引き張り部材３を掛けた際、引き張り部材３側から滑車５の先方に伸長した方向に接続部材１７を形成したものである。図１２（ａ）では棒状に記されているが、実施上は回転が可能な構造であることが好ましい。引き張り部材３に対してこの方向で接続部材１７が形成されていると、引き張り部材を手前及び横に引いた際には腕木７を回転させることができる。この場合には接続部材１７は硬質の棒状部材でも紐状の柔軟性を有する部材でも適用可能である。接続部材１７を形成した場合、腕木７の接続部分から足置き部材１の接続部分までを接続部と云う。更に腕木７の不必要なブレを防ぐ為には図（ｂ）で示す様に腕木７に二箇所を接続部材１７で足置き部材１と接続すると良い。接続部材１７は棒状又は板状又は管状の部材などが選択できるが、硬質の部材でも軟質の部材でも良い。上記の腕木７の二箇所を接続部材１７で接続する場合は柔軟性を有する紐状の部材でも使用可能である。
【００２４】  上記において、本発明の筋肉トレーニング器の各部分の好ましい形状及び寸法及び材質に就いて説明したが、上記説明に限定されること無く形状、寸法、材質は適宜経験的に決定できる。
【発明の効果】
【００２５】  本発明の筋肉トレーニング器に依れば従来の同種の筋肉トレーニング器に比べ構造を簡単にすることができるので、製作が簡単となり、コストを低減することができる。又、使い勝手も良くなる。
【図面の簡単な説明】
【００２６】
【図１】  本発明の一態様に係る筋肉トレーニング器の表側の構造示す平面図（ａ）側面図ｂ）と一部分の構造を示す側面図（ｃ）と（ｄ）である。
【図２】  本発明の一態様に係る筋肉トレーニング器の構造の一部分を示す平面図である。
【図３】  本発明の一態様に係る筋肉トレーニング器の構造の一部分を示す平面図（ａ）と（ｂ）と（ｃ）と（ｄ）である。
【図４】  本発明の一態様に係る筋肉トレーニング器の構造の一部分を示す平面図（ａ）と（ｂ）である。
【図５】  本発明の一態様に係る筋肉トレーニング器の構造の一部分を示す平面図（ａ）と（ｂ）である。
【図６】  本発明の一態様に係る筋肉トレーニング器の構造の一部分を示す平面図（ａ）と側面図（ｂ）である。
【図７】  本発明の一態様に係る筋肉トレーニング器の構造の一部分を示す平面図である。
【図８】  本発明の一態様に係る筋肉トレーニング器の構造の一部分を示す平面図（ａ）と側面図（ｂ）と裏面を示す平面図（ｃ）である。
【図９】  本発明の一態様に係る筋肉トレーニング器の形態の一部分を示す斜視図（ａ）と（ｂ）と（ｃ）である。
【図１０】  本発明の一態様に係る筋肉トレーニング器の構造の一部分を示す正面図（ａ）と側面図（ｂ）である。
【図１１】  本発明の一態様に係る筋肉トレーニング器の構造の一部分を示す平面図（ａ）と（ｂ）と（ｃ）である。
【図１２】  本発明の一態様に係る筋肉トレーニング器の構造の一部分を示す平面図（ａ）と（ｂ）である。
【符号の説明】
【００２７】１、足置き部材
２、足置き部
３、引き張り部材
４、足掛け部
５、滑車
６、軸受部
７、腕木
８、親滑車
９、子滑車
１０、引き張り部材取り付け部
１１、凸部
１２、孔部
１３、伸縮性を有さない伸縮部材
１４、境界線
１５、脚
１６、隙間
１７、接続部材
１８、軸受部の軸線
１９、接続部
２０、繋ぎ部
２１、回転面
２２、凹部
２３、接続部の軸線
２４、交点
２５、交差角度
２６、中心線
２７、中央線
２８、パイプ状の部材
【図１】
2010240358.tif 000003
【図２】
2010240358.tif 000004
【図３】
2010240358.tif 000005
【図４】
2010240358.tif 000006
【図５】
2010240358.tif 000007
【図６】
2010240358.tif 000008
【図７】
2010240358.tif 000009
【図８】
2010240358.tif 000010
【図９】
2010240358.tif 000011
【図１０】
2010240358.tif 000012
【図１１】
2010240358.tif 000013
【図１２】
2010240358.tif 000014
【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
上面に足を乗せる足置き部を有する足置き部材の任意の箇所に、伸縮性と柔軟性を有し、且つ所定の長さを有する、紐状又は帯状又は管状又は其の他の形状の引き張り部材を取り付ける。そして、該引き張り部材の取り付け部から所定の距離を有した箇所に、引き張り部材を宛がって引き伸ばす方向を変換する滑車が少なくとも一箇所以上形成されている。そして滑車から先方の引き張り部材には足の先を掛ける手段を有する足掛け部が形成されている。少なくとも以上の部材の構成で形成された筋肉トレーニング器の滑車において、滑車の少なくとも片側の軸受部には滑車の軸線に交差する方向で接続し、且つ其の方向において伸長し、少なくとも滑車の回転面より前方に突出した腕木が形成されており、該腕木の所定の箇所が足置き部材と直接又は間接に接続し接続部を形成している。該接続部において、滑車及び腕木が接続部に軸を有して回転することができることを特徴とする筋肉トレーニング器。
【請求項２】
滑車の左右両側の軸受け部に腕木を接続し、両側の腕木を直接又は間接に繋いだことを特徴とする請求項１に記載の筋肉トレーニング器。
【請求項３】
接続部が滑車の左右側面の外側１ｃｍの箇所において軸受部の軸線と直交する線から内側に形成されており、更に平面上において接続部の軸線が滑車の軸受部の軸線と滑車の左右外側１ｃｍより内側で交差し、上下方向に関しては、側面上において滑車の中心を通る中心線と接続部の軸線が直交する箇所が滑車の回転面の外側１ｃｍより内側であることを特徴とする請求項１〜２のいずれかに記載の筋肉トレーニング器。
【請求項４】
滑車の軸線を挟んで腕木の二箇所を足置き部材と直接又は間接に接続したことを特徴とする請求項１〜３のいずれかに記載の筋肉トレーニング器。
【請求項５】
引き張り部材を足置き部材の内側又は裏側に配置し、足置き部材の上面又は側面に孔部又は隙間を形成して出口とし、其処から引き張り部材を表側に引き出し、更に出口又は出口付近に滑車を形成したことを特徴とする請求項１〜４のいずれかに記載の筋肉トレーニング器。
【請求項６】
伸縮性を有する引き張り部材と足掛け部との間に伸縮性は有さないが柔軟性を有し、且つ所定の長さを有する、紐状又は帯状又は管状又は其の他の形状の引き張り部材を接続したことを特徴とする請求項１〜５のいずれかに記載の筋肉トレーニング器。
【請求項７】
足掛け部を環状に形成し、先端部を帯状にしたことを特徴とする請求項１〜６のいずれかに記載の筋肉トレーニング器。
【請求項８】
接続部に孔部又は凹部を形成し、該孔部又は凹部に引き張り部材を通して配置し、足置き部材から滑車に至る引き張り部材が直線の状態になることを特徴とする請求項１〜７のいずれかに記載の筋肉トレーニング器。
【請求項９】
腕木の伸長する方向に突出する凸部を形成し、足置き部材に凹部又は孔部を形成して該凹部又は孔部に凸部を嵌め合わせて接続し、平面上で接続部の軸線が軸受部の軸線に対し８０〜９０°の交差角度を有することを特徴とする請求項１〜８のいずれかに記載の筋肉トレーニング器。
【請求項１０】
腕木に凹部又は孔部を形成し、足置き部材に滑車に向かって突出する凸部を形成し、凹部又は孔部と凸部を嵌め合わせて接続し、平面上で接続部の軸線が軸受部の軸線に対し８０〜９０°の交差角度を有することを特徴とする請求項１〜８のいずれかに記載の筋肉トレーニング器。
【請求項１１】
腕木と足置き部材との間に接続部材を介在させ間接に接続し、接続部を形成したことを特徴とする請求項１〜８のいずれかに記載の筋肉トレーニング器。
【請求項１２】
伸縮性を有する引き張り部材をゴム材で形成したことを特徴とする請求項１〜１１のいずれかに記載の筋肉トレーニング器。
【手続補正２】
【補正対象書類名】明細書
【補正対象項目名】全文
【補正方法】変更
【補正の内容】
【発明の詳細な説明】
【技術分野】
【０００１】  本発明は足腰の筋肉を鍛えるための筋肉トレーニング器に関する。
【背景技術】
【０００２】  従来、足腰の筋肉を鍛えるための器具は色々提供されているが、其の一つに本発明の発明者が以前出願した特願２００６−９２２６０がある。この出願は内容としては、足を乗せる足置き部材の裏側に伸縮性を有する紐状の伸縮部材を配置し、該伸縮部材を足置き部材に形成した孔から表側に出して、其の先に足先を掛ける足掛け部を形成したものである。これを使用する際には足置き部材に片足を乗せ、他片足を足掛け部に差し込んで任意の方向に引き張り、足腰の筋肉を鍛えるものである。この出願において、足置き部材に形成した孔の縁が伸縮部材を引き張る際に引き張る方向を変える方高変換部として機能しているが、方向を変換する最、孔の縁に張力を有する伸縮部材が強く擦れるためにスムーズな操作ができなかったり、摩擦熱が発生し、連続して使用すると部材が保熱したりして部材の劣化を招くと云う不具合が生じていた。この問題を解決するために孔の部分に回転するローラー即ち滑車を取り付けることもアイディアとして提供されているが、孔の周囲に自在に引き張るためには複数の回転ローラーを取り付けなくてはならず、構造的にも複雑であり、コストも掛かるため実施し難いものであった。本発明においては既出願のアイディアよりも構造が簡単でコストの掛からない、且つ容易に実施し得る筋肉トレーニング器を提供するものである。
【発明が解決しようとする課題】
【０００３】  本発明においては、既出願のアイディアにおける方向変換部の回転ローラー部分に改善を加え、一つの回転ローラーで任意の方向にスムーズに足掛け部を引き張れる筋肉トレーニング器を提供することを課題とする。
【課題を解決する為の手段】
【０００４】  上記課題を解決する為に、本発明は次ぎの如き筋肉トレーニング器を提供する。
１、上面に足を乗せる足置き部を有する足置き部材の任意の箇所に、伸縮性と柔軟性を有し、且つ所定の長さを有する、紐状又は帯状又は管状又は其の他の形状の引き張り部材を取り付ける。そして、該引き張リ部材の取り付け部から所定の距離を有した箇所に、引き張り部材を宛がって引き伸ばす方向を変換する滑車が少なくとも一箇所以上形成されている。そして滑車から先方の引き張り部材には足の先を掛ける手段を有する足掛け部が形成されている。少なくとも以上の部材の構成で形成された筋肉トレーニング器の滑車の部分において、滑車の軸受部には滑車の軸線に交差する方向で接続し、且つ其の方向において伸長し、少なくとも滑車の回転面より前方に突出した腕木が形成されており、該腕木の所定の箇所が足置き部材と直接又は間接に接続し接続部を形成している。該接続部において、滑車及び腕木が接続部に軸を有して回転することができることを特徴とする筋肉トレーニング器。
２、滑車の左右両側の軸受け部に腕木を接続し、両側の腕木を直接又は間接に繋いだことを特徴とする上記第１項に記載の筋肉トレーニング器。
３、接続部が滑車の左右側面の外側１ｃｍの箇所において軸受部の軸線と直交する線から内側に形成されており、更に平面上において接続部の軸線が滑車の軸受部の軸線と滑車の左右外側１ｃｍより内側で交差し、上下方向に関しては、側面上において滑車の中心を通る中心線と接続部の軸線が直交する箇所が滑車の回転面の外側１ｃｍより内側であることを特徴とする上記第１〜２項のいずれかに記載の筋肉トレーニング器。
４、滑車の軸線を挟んで腕木の二箇所を足置き部材と直接又は間接に接続したことを特徴とする上記第１〜３項のいずれかに記載の筋肉トレーニング器。
５、引き張り部材を足置き部材の内側又は裏側に配置し、足置き部材の上面又は側面に孔部又は隙間を形成して出口とし、其処から引き張リ部材を表側に引き出し、更に出口又は出口付近に滑車を形成したことを特徴とする上記第１〜４項のいずれかに記載の筋肉トレーニング器。
６、伸縮性を有する引き張り部材と足掛け部との間に伸縮性は有さないが柔軟性を有し、且つ所定の長さを有する、紐状又は帯状又は管状又は其の他の形状の引き張り部材を接続したことを特徴とする上記第１〜５項のいずれかに記載の筋肉トレーニング器。
７、足掛け部を環状に形成したことを特徴とする上記第１〜５項のいずれかに記載の筋肉トレーニング器。
８、接続部に孔部又は凹部を形成し、該孔部又は凹部に引き張り部材を通して配置し、足置き部材から滑車に至る引き張り部材が直線の状態になることを特徴とする上記第１〜７項のいずれかに記載の筋肉トレーニング器。
９、腕木の伸長する方向に突出する凸部を形成し、足置き部材に凹部又は孔部を形成して該凹部又は孔部に突起部を嵌め合わせて接続し、平面上で接続部の軸線が軸受部の軸線に対し８０〜９０°の交差角度を有することを特徴とする上記第１〜８項のいずれかに記載の筋肉トレーニング器。
１０、腕木に凹部又は孔部を形成し、足置き部材に滑車側に突出する凸部を形成し、凹部又は孔部と凸部を嵌め合わせて接続し、平面上で接続部の軸線が軸受部の軸線に対し８０〜９０°の交差角度を有することを特徴とする上記第１〜８項のいずれかに記載の筋肉トレーニング器。
１１、腕木と足置き部材との間に接続部材を介在させ間接に接続し、接続部を形成したことを特徴とする上記第１〜８項のいずれかに記載の筋肉トレーニング器。
１２、伸縮性を有する引き張り部材をゴム材で形成したことを特徴とする上記第１〜１１項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものでは無い。
【０００６】  図１は本発明の一態様に係る筋肉トレーニング器の全体の構造を示す平面図（ａ）と側面図（ｂ）と一部分を拡大した側面図（ｃ）と（ｄ）である。図１（ａ）に示す筋肉トレーニング器は上面に足を乗せる足置き部２を有し、且つ其の他の構成部材を取り付ける台座となる足置き部材１の上面に伸縮部材取り付け部１０を形成し、其処に或る長さを有する一本の紐状の伸縮性と柔軟性を有する引き張リ部材３の片側が取り付けられており、引き張り部材３のもう一方には足の先を掛ける手段を有する足掛け部４が形成されている。図１において、足掛け部４は環状で且つ帯状の部材で形成されている。更に足置き部材１には引き張り部材３の引き張る方向を変換させるための滑車５が形成されており、滑車５には引き張り部材３が掛けられた形態となっている。図１（ｃ）と（ｄ）で示す様に、滑車５の外側には其の内側の軸受部６に接続され、軸受部の軸線１８と交差する方向で伸長し、或る距離を有した箇所で内側に曲げられた腕木７が形成されている。図１（Ｃ）と（Ｄ）では腕木７の先端部に凸部１１が形成されており、足置き部材１から立ち上げた部分に形成された孔部１２に嵌め合わされて取り付けられ、接続部１９を形成している。この構造により、腕木７はこの接続部１９を中心として軸２３を有して回転することができ、滑車５も自体が有する軸回転では無く、腕木７の回転に伴い同じ縦方向に回転することができる。図１の構造では腕木７及び滑車５は足置き部２の面に対し上下方向、即ち縦方向に回転の弧を有する構造となっている。実施上も縦方向の回転にすることが好ましい。この回転により滑車５は引き張り部材３の引き張る方向に対応し自在に向きを変えることができるのである。又、本態様に係る特許請求項１には腕木に関して「少なくとも滑車の回転面より前方に突出した腕木」と記されているが、この点に関しては図３を用いて説明するものとする。
【０００７】  これを使用するには、足置き部材１の上面に形成された足置き部２に片足を乗せ、もう一方の足の先を足掛け部４に差し入れて足先を掛け、任意の方向に動かし引き張り部材３を引き伸ばす。引き伸ばされた引き張り部材３は其の伸縮性により張力を発生させ、この張力により筋肉に刺激を与え筋肉のトレーニングを行うことができるのである。従来技術及び本発明において、滑車５は引き張り部材３の引き張る方向を変換する際に、方向を変換する箇所の摩擦を減じるために用いられているが、この滑車５の使用に関し、従来の方法を図２の平面図で説明する。
【０００８】  図２に示す滑車５は足置き部材１に取り付けられ、且つ引き張り部材３が掛けられた滑車（親滑車８と呼ぶ）の上側に２本の滑車（子滑車９と呼ぶ）を重ねて交差させ、合わせて三本の滑車を形成したものである。従来方法では、親滑車８に掛けた引き張り部材３を左右に引き張った場合、横方向の張力を親滑車８自体では受けることができず、左右にずれる為、左右方向において張力を受けるために別の滑車、即ち子滑車９を形成する必要があった。これに対して本発明の方法では滑車５と腕木７が腕木７と足置き部材１との接続部分において回転することができるので、図１（ｃ）と（ｄ）では、左右方向に引き張り部材３を引き張った際、引き張る方向に対応して腕木７が縦方向（図面上での方向）に回転し、この回転に応じて滑車５の軸線１８も縦方向に回転移動することができ、スムーズに張力を受けることができることとなるのである。この様に本発明は従来の技術では三つの滑車を必要とした方向変換を一つの滑車で実施できる様にしたものである。
【０００９】  次ぎに各部分の詳細に就いて説明する。図１において、足置き部材１は少なくとも、足を乗せる足置き部２を形成し引き張り部材３及び滑車５を取り付け、配置する為の台座となるものである。図１においては或る高さを有する板状の部材で形成された形態となっているが、或る広さの上面、即ち足置き部２が形成される広さを有していれば、形状は任意である。足置き部材１は孔を有していても良い。実施上、寸法は縦が３０ｃｍ以上、横が２０ｃｍ以上、高さは１０ｃｍ以内程度が好ましい。材質は木材又はプラスチック又は軽金属などが好ましい。複数の材質部材を複合させたものでも良い。又、脚を形成しても良い。脚を取り付けた場合、脚も足置き部材１の一部となる。
【００１０】  次ぎに足置き部２であるが、足置き部材１の上面に足を乗せ、本筋肉トレーニング器を使用できる広さを有する箇所は足置き部２と見なすことができる。広さ及び形状は任意である。図１では足置き部材１の上面中央に引き張り部材３が配置され、それを挟んで左右に足置き部２が形成された形態となっている。足置き部２は一箇所でも良いし、図１に示す様に複数箇所であっても良い。実施上、一箇所の足置き部２は縦横１０ｃｍ以上の広さを有していることが好ましい。１０ｃｍとは足先の幅のおおよその寸法であり、立ち乗って運動するには少なくともこれ以上の広さを有していることが必要となる。材質も任意であるが、足置き部材１と同じでも良いし其の他の部材でも良い。実施上、木材又はプラスチック又は軽金属などが選択できる。表面は平坦であることが好ましく、表面に滑り止めのゴム材等を貼っても良い。又、表面に細かい凹凸や足の裏を押す突起を部分的に形成しても良い。足の裏を押す突起を形成する際、足置き部材１の端部の縁に沿って突起を伸長させて形成すると、踵を床につけた状態でふくらはぎを伸ばす運動ができるので好ましい。この場合、高さは１０ｃｍ以内、伸長する長さは２０ｃｍ程度が好ましい。
【００１１】  次ぎに引き張り部材３に就いて説明すれば、引き張り部材３は本筋肉トレーニング器の足掛け部４を引き動かした際、張力を生み出す部材であり、所定の長さを有し、伸縮性と柔軟性を有する、少なくとも一本の紐状又は帯状又は管状又は其の他の形状の部材で形成されている。図１においては、引き張り部材３は足置き部材１の上面に形成された引き張り部材取り付け部１０に其の端部が取り付けられ、足置き部材１に接続された滑車５に掛けられた形態となっている。図１において引き張り部材３は直接に引き張り部材取り付け部１０に取り付けられているが、実施上は他の接続部材、例えば紐状部材又は棒状部材又はリングなどを介して間接に取り付けても良い。接続部材の形状及び材質は任意である。寸法に関しては実施上経験的に決定されて良い。又、引き張り部材３の太さ及び長さに関しても任意である。図１において、引き張り部材３は所定の長さを有する紐状の形態で示されているが、実施上はチューブ状（管状）のゴム材などが好ましい。ゴム材を使用する場合、ゴム材の伸び率は伸びていない時の長さを１とすると、伸びた際に２以上になることが好ましい。又、実施上、引き張り部材３の太さは１０ｍｍ以内で長さは３０ｃｍ以上であることが好ましい。又、引き張り部材取り付け部１０を複数にして位置を変えて取り付けられる様にしても良い。この様にすると引き張り部材３の張力を変化させることができる。
【００１２】  次ぎに滑車５に就いて更に説明する。図（ｃ）と（ｄ）は引き張り部材３と滑車５と腕木７と足置き部材１の取り合いを部分的に拡大して示したものである。図（ｃ）は図（ｂ）の滑車５の部分を拡大した図であり、図（ｄ）は図（ｃ）の使用時の変化図である。本発明で云う滑車５は内側に軸受部６を有し、其の外側に回転部分即ち回転面２１を有する構造となっている。腕木７を内側の軸受部６に接続する場合、次の様な接続の方法が挙げられる。一つには軸受部６の内側に腕木７を軸部材として嵌め込む方法。又は、滑車５が転がり軸受を使用している場合には軸受の内輪に腕木７を接合する方法である。転がり軸受の場合、内輪に腕木７を固定しても滑車は回転することができるからである。いずれにしても腕木７は滑車５の内側に在る軸受部６と何らかの方法で接続又は接合し、更に軸受部の軸線１８に交差する方向で伸長していることが要件である。図（ｄ）では交差角度が９０°になっているが角度は任意である。又、交差する方向である為、伸長する方向は軸受部の軸線１８から離れる方向となる。「交差する方向で」とは軸受部の軸線１８に対して角度を有することであり、「交差する方向に」とは異なり軸受部の軸線１８に向かうことでは無い。又、腕木７は軸受部６から所定の距離を有した箇所で内側に曲げられて伸長している。この内側と云うのは簡単に云えば曲がった部分からは滑車の軸受部の軸線１８に平行して滑車の他片側方向に伸長することであるが、色々な形態が有るので数種について図３で説明する。腕木は湾曲又は屈曲していても良い。更に滑車５の働きに就いて説明すれば、図１（ｃ）では引き張り部材３が滑車５に縦方向に掛かっており、図（ｄ）では横方向に掛かっている。本図（ｃ）から（ｄ）への変化は回転した形態の変化を示すものである。この構造により、図に示す如く、引き張り部材３の引く方向の変化に伴い、滑車５の向きを縦から横へ、或いは横から縦へと変化させることができ、それにより引き張り部材３の引く方向を縦から横へ、或いは横から縦へと変化させ滑車５から外れること無く引き張る方向を変換できることとなるのである。又、図１において腕木７は滑車５の軸受部６の左右両側に接続されているが、硬質の強度を有する部材で形成すれば片側でも実施可能であるので片側でも構わない。又、後記するが図面上では右側に一箇所、接続部を形成しているが、滑車５の軸線１８を挟んで左側にも一箇所形成し、合わせて二箇所に形成することもできる。滑車５及び腕木７の形状及び寸法は任意である。実施上、滑車５の寸法は直径３０ｍｍ以内、幅も３０ｍｍ以内程度が好ましい。腕木７も滑車５よりも３０〜５０ｍｍ程度大きいもので良いが滑車５の大きさによらず１００ｍｍ以内が好ましい。幅も滑車５と同一以下で良い。厚みは１０ｍｍ以下で良い。又、実施上、滑車５の回転部分には転がり軸受けとしてボールベアリングを使用しても良いし、コロを使用しても良い。又、軸受部６の内側に摩擦係数の小さなフッ素樹脂の薄板を筒状にして嵌めても良い。又、外側の回転面２１もフッ素樹脂等の樹脂材で形成しても良い。勿論、プラスチック又は硬質ゴム又は金属であっても良い。又、図（ｄ）で示す様に、外側の回転部分の中央部��凹ませて両側を高くすると良い。この様にすると引き張り部材３が外れ難くなり、引いた際に滑車の回転を更にスムーズにすることができる。腕木７の材質は実施上、木材又はプラスチック又は金属などが選択できる。又、腕木７の凸部１１と足置き部材１の孔部１２の接続部分には同様に摩擦係数の小さなフッ素樹脂の板を筒状にしてスリーブとして取り付けると回転する際の摩擦を軽減できるので好ましい。凸部１１と孔部１２を嵌め合わせた場合には、其の間に前記のスリーブを取り付けても、腕木７を足置き部材１に直接に取り付けたものと解釈するものである。間接に取り付ける例に就いては後起する。又、図１以外の腕木７と足置き部材１の接続方法に就いても後記する。又、滑車５は足置き部材１に複数個形成しても良い。引き張り部材３が長くなると足置き部材１において複数箇所で方向を変換する必要性が生じるからである。その際、従来の形態の滑車と組み合わせて使用しても良い。
【００１３】  次ぎに足掛け部４に就いて説明する。本発明では引き張り部材３の先方に足の先を掛ける手段を有する足掛け部４を形成することが要件となっている。図１では該足掛け部４は環状で且つ或る幅を有する帯状の部材で形成されている。図１では足掛け部４を環状で且つ帯状に形成することで、足の先を掛ける手段としている。足掛け部４の形状は図１以外の形状でも多種実施可能であり、他には紐状の環や袋状のもの又は筒状のもの又は履物状などのものが選択できる。本図態様の実施に関しては、環の大きさは差し渡しが、即ち直径が少なくとも１０ｃｍ以上で、先端部に少なくとも３ｃｍ以上の幅の面を有していることが好ましい。又、材質は柔軟性を有するものが好ましい。又、足掛け部４は引き張り部材３と同一部材であっても良いし、一体化していても良い。更に足掛け部４は引き張り部材３から取り外せる構造でも良い。又、足掛け部４は引き張り部材３のどこに取り付けても構わない。取り付け箇所を変えることもできる。但し滑車５から先方であることが要件である。ここで云う先方とは引き張り部材取り付け部１０とは反対側の先端方向を云う。
【００１４】  図３は図１の態様で記された、特許請求項１に記載の「少なくとも滑車の回転面より前方に突出した腕木」に関して説明するものである。図面は平面図（ａ）と（ｂ）と（ｃ）と（ｄ）である。図（ａ）は腕木７が滑車５の軸受部６の片側に接続され、軸受部の軸線１８と交差する方向で滑車の回転面２１より前方に突出しており、或る距離を有した所で内側に曲がり滑車５の中央を通る中央線２７まで伸長した図となっている。上述の「少なくとも滑車の回転面より前方に突出した」と云うのは図（ａ）で示す如く、腕木７が滑車５回転面２１よりも前方に突出した形態を云う。突出の寸法に就いては前述しているが、実施上は前述の如く１００ｍｍ以内が好ましい。図（ａ）では説明のために片側だけを記載しているが、実施上は両側に形成し中央で接続することが好ましい。図（ａ）以外の態様を別図で説明する。図（ｂ）は腕木７を滑車から離した方向に伸長させた形態である。図（ｃ）は腕木７を湾曲させて伸長させた形態である。図（ｄ）は腕木７を、面を有する板状の部材で形成したものである。
【００１５】  図４は本発明に一態様に係る筋肉トレーニング器の構造の一部分を示す平面図（ａ）と（ｂ）である。図４（ａ）は滑車５の左右の軸受け部６に腕木７を接続し、それを滑車５の先方に伸長させて繋ぎ合わせ、滑車５との間で環状の形態を形成した図である。図（ａ）では腕木７の先端部に突部１１が形成されており、この凸部１１が足置き部材１に形成された孔部１２に嵌め合わされた形態と成っている。図（ｂ）は滑車５の左右両側から伸長した腕木７が其々に先端部に凸部１１を有しており、この二つの凸部１１が合わされて孔部１２に嵌め合わされた形態と成っている。図（ａ）の形態は両側の腕木を直接に繋いだものであり、図（ｂ）の形態は間接に繋いだものである。
【００１６】  図５は本発明の一態様に係る筋肉トレーニング器の構造の一部分を示す平面図（ａ）と（ｂ）である。図５（ａ）に示す筋肉トレーニング器は滑車５の側面の左右いずれかの端部から滑車５の軸受部の軸線１８上において１ｃｍ外側に隔たった箇所、ここを交点２４とし、ここを通り軸受部の軸線１８と直角に交わり、即ち直交して伸びる線（境界線１４）を設定し、其の内側に接続部１９が形成されていることを示すものである。更に接続部１９の回転軸の軸線２３が交点２４の内側で軸受部の軸線１８と平面上で交差することを示す図である。ここで云う平面上とは平面図の上で表した場合と云う意味である。図（ｂ）は側面上において滑車５の中心を通る中心線２６と接続部の軸線２３が直交する交点２４が滑車５の回転面２１の外側１ｃｍより内側の箇所であることを示す図である。ここで云う側面上とは側面図上で表した場合と云う意味である。この様に接続部１９及び接続部の軸線２３を滑車の中央に近づけることで腕木７の回転アーク」（弧）を小さくすることができ、滑車５の移動を小さくできるのである。実施上、接続部の軸線２３の向き及び接続部１９の形成位置は経験的に決定されて良い。
【００１７】  図６は本発明の一態様に係る筋肉トレーニング器の構造の一部分を示す平面図（ａ）と側面図（ｂ）である。図６に示す筋肉トレーニング器は滑車５の軸受部の軸線１８を中央にして腕木７の二箇所を足置き部材１に接続した図である。二箇所で接続することにより引き張り部材を引き張った際に滑車５及び腕木７の動きを安定させることができ、接続部１９における不必要な動き及び回転のブレを防ぐことができる。
【００１８】  図７は本発明の一態様に係る筋肉トレーニング器の形態の一部分を示す平面図である。図７に示す筋肉トレーニング器は足置き部材１に形成された伸縮性を有する引き張り部材３と足掛け部４との間に柔軟性と所定の長さを有するが、伸縮性を有さない引き張り部材１３を接続した図である。図７では一本の直線状の紐の中間部に繋ぎ部２０を有して接続されている。この様にすると使用中に伸縮性を有する引き張り部材に切れたような場合、例えば引き張り部材３をゴム材で形成していたとすると、切れた反動が跳ね返りとして足に当たってしまうと云った不具合が生じる怖れがあるので、足掛け部４に近い部分には伸縮性を有さない引き張り部材１３を配置するものである。又、次ぎの段落（００１９）で説明するように足置き部材の裏側に引き張り部材３を配置すると更に安全が確保できるのである。接続方法は任意であり又材質を変化させることで伸縮性の有る部分そして無い部分を形成しても良い。又、伸縮性を有さないと云う程度に就いて説明すると、これは通常使用している植物繊維で編んだ紐又は化学繊維で編んだ紐又は皮で編んだ紐などの程度である。
【００１９】    図８は本発明の一態様に係る筋肉トレーニング器の全体の構造を示す平面図（ａ）と側面図（ｂ）と裏側を示す平面図（ｃ）である。図８に示す筋肉トレーニング器は足置き部材１の裏側に脚１５を形成し、更に裏側の引き張り部材取り付け部１０に引き張り部材３を取り付け裏面上に配置し、足置き部材１に形成した孔部１２から表側に引き出し、孔部１２の内側に滑車５と腕木７を取り付け、其の先に足掛け部４を形成した図である。この様にすると足置き部材１の上面の足置き部２を広く使用することができ使い易くすることができる。段落（００１２）で述べた様に、図８（ｃ）では足置き部材１の裏側に更なる滑車５を形成している。この様にすると引き張り部材３を裏面により長く配置することができる。又、段落（００１８）で説明したように伸縮性を有さない引き張り部材を接続すると、伸縮性を有する引き張り部材３が切れた場合、表側には伸縮性を有さない引き張り部材が出ているので、足への跳ね返りを防ぐことができる。本図において滑車５と腕木７は孔部１２の内側に取り付けられているが、孔部１２の傍らに取り付けても良い。孔部１２の縁に当たらない箇所が好ましいが、取り付け位置は経験的に決定されて良い．図８では足置き部材１の裏側で説明したが、足置き部材を箱状に形成した様な場合は足置き部材１の内側と云うことができる。又、引き張り部材取り付け部１０は裏側で無くとも、足置き部材１の側面外側でも良い。取り付け位置は任意である。
【００２０】  段落（００１９）の態様における孔部１２以外の実施態様を図９の斜視図（ａ）と（ｂ）と（ｃ）で示す。図９（ａ）は足置き部材の上面を切り欠いて隙間１６を形成したものである。ここに腕木を取り付けることができる。滑車５は隙間１６の内側でも、隙間１６の周囲でも使用できれば構わない。図９（ｂ）と（ｃ）は足置き部材１の側面に孔部１２又は隙間１６を形成した図である。この様に形成しても同様である。図６では滑車と腕木の記載は省略しているが、以上の形態でも実施可能である。
【００２１】  図１０は本発明の一態様に係る筋肉トレーニング器の構造の一部分を示す正面図（ａ）と（ｃ）と側面図（ｂ）である。図１０に示す筋肉トレーニング器は足置き部材１と引き張り部材３と滑車５と腕木７と接続部１９の構造を示すものである。図１０では腕木７と足置き部材１との接続部１９は腕木７に孔部１２を形成し、そこにパイプ状の部材２８を取り付け、それを足置き部材１に形成した孔部１２に嵌めこんで形成されている。この構造により接続部には孔部１２が形成される。足置き部材１に形成した孔部１２がパイプ状の部材２８の外側を支える軸受けと成って腕木７を回転させることができるのである。この様にすると図（ｂ）で示す様に足置き部材１側から引き張られた引き張り部材３はこの孔部１２の中を通り、曲がること無く、直線の状態で滑車５にかけられた形態となる。この状態で腕木７が回転すると、動かない接続部の軸線上に引き張り部材３が位置することができるので、腕木７の回転により引き張り部材３が振れることが抑えられる。これにより引き張り部材３の配置スペースの幅を狭くすることができる。又上記において、足置き部材１側から引き張られたと記しているが、足置き部材側と云うのは引き張り部材取り付け部からでも良いし、足置き部材１に形成された別の滑車からでも良いし、又、他の取り付け方法で取り付けられた箇所からでも良い。又、図１０で示すパイプ状の部材２８は腕木７と一体化しているので腕木７自体と見なすことができる。図（ｃ）は足置き部材１に形成した孔部１２の一部を開いて凹部２２を形成した図である。この凹部２２の中にパイプ状の部材２８の一部を開いて凹状にして嵌めこみ回転させても同じ効果が得られる。この構造によるスペースの確保は、この筋肉トレーニング器をコンパクトに製作する際に極めて有効な手段である。
【００２２】  図１１は本発明の一態様に係る筋肉トレーニング器の構造の一部分を示す平面図（ａ）と（ｂ）と（ｃ）である。図１１は本筋肉トレーニング器の腕木７と足置き部材１との接続に関し、前記で説明した以外の方法を示すものである。図１１（ａ）は腕木７の先端部に腕木７の伸長する方向で前方に突出する凸部１１を形成して足置き部材１に形成した凹部２２に嵌め込んだ形態を示すものである。図１１では接続部の軸線２３が滑車５の軸受部の軸線１８と直交している形態で示されているが、この交差角度２５を本態様では８０〜９０°と規定するものである。図１で説明した形態は図１１（ａ）の凹部２２が孔部１２となっている。図１１（ｂ）は腕木７の先端部に孔部１２を形成し、足置き部材１の立ち上がり部に滑車５の軸線１８と概ね直交する方向で滑車５に向かって突出した凸部１１を形成して嵌め合わせた形態を示す図である。この場合の交差角度２５も８０〜９０°と規定するものである。図１１（ｃ）は腕木７の先端部に凹部２２を形成し、足置き部材１に形成した前述と同様の凸部１１を嵌め合わせた形態を示す図である。この場合の交差角度２５も同様である。この様に交差角度２５を９０°に近づけるほど滑車５の位置ズレ及び回転ブレを小さくすることができる。
【００２３】  図１２は本発明の一態様に係る筋肉トレーニング器の構造の一部分を示す平面図（ａ）と（ｂ）である。図１２に示す筋肉トレーニング器は腕木７と足置き部材１とを接続する際にその間に他の部材即ち接続部材１７を介して接続する構造を示すものである。この接続部材１７は腕木７と足置き部材１とが嵌合しておらず、二つの間に距離を有する場合に接続する部材である。図１２（ａ）は滑車５に引き張り部材３を掛けた際、引き張り部材３側から滑車５の先方に伸長した方向に接続部材１７を形成したものである。図１２（ａ）では棒状に記されているが、実施上は回転が可能な構造であることが好ましい。引き張り部材３に対してこの方向で接続部材１７が形成されていると、引き張り部材を手前及び横に引いた際には腕木７を回転させることができる。この場合には接続部材１７は硬質の棒状部材でも紐状の柔軟性を有する部材でも適用可能である。接続部材１７を形成した場合、腕木７の接続部分から足置き部材１の接続部分までを接続部と云う。更に腕木７の不必要なブレを防ぐ為には図（ｂ）で示す様に腕木７に二箇所を接続部材１７で足置き部材１と接続すると良い。接続部材１７は棒状又は板状又は管状の部材などが選択できるが、硬質の部材でも軟質の部材でも良い。上記の腕木７の二箇所を接続部材１７で接続する場合は柔軟性を有する紐状の部材でも使用可能である。
【００２４】  上記において、本発明の筋肉トレーニング器の各部分の好ましい形状及び寸法及び材質に就いて説明したが、上記説明に限定されること無く形状、寸法、材質は適宜経験的に決定できる。
【発明の効果】
【００２５】  本発明の筋肉トレーニング器に依れば従来の同種の筋肉トレーニング器に比べ構造を簡単にすることができるので、製作が簡単となり、コストを低減することができる。又、使い勝手も良くなる。
【図面の簡単な説明】
【００２６】
【図１】  本発明の一態様に係る筋肉トレーニング器の表側の構造示す平面図（ａ）側面図ｂ）と一部分の構造を示す側面図（ｃ）と（ｄ）である。
【図２】  本発明の一態様に係る筋肉トレーニング器の構造の一部分を示す平面図である。
【図３】  本発明の一態様に係る筋肉トレーニング器の構造の一部分を示す平面図（ａ）と（ｂ）と（ｃ）と（ｄ）である。
【図４】  本発明の一態様に係る筋肉トレーニング器の構造の一部分を示す平面図（ａ）と（ｂ）である。
【図５】  本発明の一態様に係る筋肉トレーニング器の構造の一部分を示す平面図（ａ）と（ｂ）である。
【図６】  本発明の一態様に係る筋肉トレーニング器の構造の一部分を示す平面図（ａ）と側面図（ｂ）である。
【図７】  本発明の一態様に係る筋肉トレーニング器の構造の一部分を示す平面図である。
【図８】  本発明の一態様に係る筋肉トレーニング器の構造の一部分を示す平面図（ａ）と側面図（ｂ）と裏面を示す平面図（ｃ）である。
【図９】  本発明の一態様に係る筋肉トレーニング器の形態の一部分を示す斜視図（ａ）と（ｂ）と（ｃ）である。
【図１０】  本発明の一態様に係る筋肉トレーニング器の構造の一部分を示す正面図（ａ）と側面図（ｂ）である。
【図１１】  本発明の一態様に係る筋肉トレーニング器の構造の一部分を示す平面図（ａ）と（ｂ）と（ｃ）である。
【図１２】  本発明の一態様に係る筋肉トレーニング器の構造の一部分を示す平面図（ａ）と（ｂ）である。
【符号の説明】
【００２７】１、足置き部材
２、足置き部
３、引き張り部材
４、足掛け部
５、滑車
６、軸受部
７、腕木
８、親滑車
９、子滑車
１０、引き張り部材取り付け部
１１、凸部
１２、孔部
１３、伸縮性を有さない伸縮部材
１４、境界線
１５、脚
１６、隙間
１７、接続部材
１８、軸受部の軸線
１９、接続部
２０、繋ぎ部
２１、回転面
２２、凹部
２３、接続部の軸線
２４、交点
２５、交差角度
２６、中心線
２７、中央線
２８、パイプ状の部材
【手続補正３】
【補正対象書類名】図面
【補正対象項目名】全図
【補正方法】変更
【補正の内容】
【図１】
2010240358.tif 000015
【図２】
2010240358.tif 000016
【図３】
2010240358.tif 000017
【図４】
2010240358.tif 000018
【図５】
2010240358.tif 000019
【図６】
2010240358.tif 000020
【図７】
2010240358.tif 000021
【図８】
2010240358.tif 000022
【図９】
2010240358.tif 000023
【図１０】
2010240358.tif 000024
【図１１】
2010240358.tif 000025
【図１２】
2010240358.tif 000026